(57)【要約】【課題】カメラレンズの保護と通常撮影モードと二次元バーコード撮影モードの確実かつ高速な切り替え機構を備えた携帯端末を提供する。【解決手段】携帯端末１０に搭載されたカメラのレンズ部１０６にカバー部材１０９を取り付け、カバー部材１０９の開閉に連動してカメラ機能の起動及び終了を行う。カバーは二段階にスライドし、カバー位置によって通常撮影モードと二次元バーコード撮影モードを切り替えるようにする。スライド機構として筺体の表面に筺体壁の厚み以下の深さでなる平行な溝を形成し、カバー部材１０９には前記溝に対応するレール状の係合部を形成し、カバー部材の係合部が前記溝に嵌合してスライドするように構成することにより、撮影モードの切り換え用操作部から筺体内への水や塵の侵入を防止することが可能である。【選択図】図１
2008167205.tif 000002
【特許請求の範囲】
【請求項１】
筺体面に設けられたカメラのレンズ用の開口部と、前記筺体面に設けられスライド機構により前記開口部を覆うカバー部材と、前記カバー部材が前記開口部を露出する異なるスライド位置を検出する検出部と、前記検出部の出力により通常撮影とバーコード撮影の撮影モードを起動する検出部と、を備えることを特徴とするカメラ機能を備えた携帯端末。
【請求項２】
前記スライド機構は、レンズから離れる方向の一方向に前記カバー部材をスライド可能であり、当該スライド方向で少なくとも二箇所で係止可能であり、前記検出部は前記二箇所の位置に係止したことを検出して通常撮影又はバーコード撮影の動作モードの何れかを起動することを特徴とする請求項１記載のカメラ機能を備えた携帯端末。
【請求項３】
前記スライド機構は、前記カバー部材を前記レンズから離れる方向の二方向にスライド可能であり、前記検出部は一方向にスライドすると通常撮影モードを起動し、他方向にスライドするとバーコード撮影モードを起動することを特徴とする請求項１記載のカメラ機能を備えた携帯端末。
【請求項４】
前記レンズは筺体の略中央部に位置することを特徴とする請求項１、２又は３記載のカメラ機能を備えた携帯端末。
【請求項５】
前記カバー部材に前記係止位置の検出用の磁石を設け、前記検出部は前記開口部が露出する係止位置で前記磁石と対峙する位置に設けた磁気センサでなることを特徴とする請求項２、３又は４記載のカメラ機能を備えた携帯端末。
【請求項６】
前記筺体の表面の前記レンズ用の開口部の両側に筺体壁の厚み以下の深さでなる平行な溝が形成され、前記カバー部材は前記筺体側の面に前記溝に対応するレール状の係合部が形成され、前記カバー部材の係合部が前記溝に嵌合してスライドすることを特徴とする請求項１ないし５の何れかの請求項記載のカメラ機能を備えた携帯端末。
【発明の詳細な説明】
【技術分野】
【０００１】
本発明は、カメラ機能を備えた携帯端末に関し、特に、動作モードの切り換え機能を有するカメラ機能を備えた携帯端末に関する。
【背景技術】
【０００２】
現在、携帯電話機等、多くの携帯端末にカメラ機能が搭載されている。このカメラ機能によって、ユーザは風景や人物等の撮影を行うことができるとともに、最近ではカメラ機能を利用して雑誌等に掲載されている二次元バーコードを撮影し、バーコード情報を解析することで、ウェブサイトのＵＲＬ情報等、所定の情報を得ることができるものも知られている。
【０００３】
また、携帯型情報端末装置の下部ハウジングの側面の穴（３２ｅ）に設けた回転する操作ダイヤル（４３）を内部から固定する押圧部（４４、６１）のボス（４４ａ）やレバー（６１ａ）により、レンズ窓（３２ｂ）に配置した１つの撮像光学系（レンズ鏡筒）のレンズを移動しマクロ撮影と標準撮影を切り替える構成（図２）、又は予めマクロ撮影用と標準撮影用の２つの撮像光学系を切り替える構成（図１０）が提案されている（特許文献１、図２〜５、図１０〜１５参照）。
【特許文献１】特開２００４−２８９４６５号公報
【発明の開示】
【発明が解決しようとする課題】
【０００４】
しかしながら、従来のカメラ機能を備える携帯端末においては、二次元バーコードの撮影機能を起動する際、待つ受け画面等からメニュー画面を選択して表示し、当該表示画面でツール画面を選択して表示し、画面に表示された複数のツールから二次元バーコード機能を選択することにより呼び出して実行させなければならず、撮影したいときに直ちに二次元バーコード撮影を行うことができなかった。また、通常の撮影も二次元バーコードの撮影も同じカメラ部を使用することから、通常撮影モードと二次元バーコード撮影モードの切り替えを行うには、一旦カメラ機能起動させてから更に二次元バーコードの撮影モードに切り替える操作を行わなくてはならず、不便なものとなっていた。
【０００５】
また、前記特許文献１に記載の携帯型情報端末装置では、通常撮影と二次元バーコード撮影の切り替えを操作ダイヤル（４３）の回動により可能であるが、同文献のものではレンズ窓は常時露出状態にあるから、レンズ窓の保護等を行うには別操作のカバーを設ける必要があるという問題がある。更に、同文献の操作ダイヤル（４３）は下部ハウジングの操作ダイヤル用の穴（３２ｅ）に環状の弾性部材からなるガスケット（３３）を挟んで挿入し内部から押圧部（４４、６１）で固定して防水、防塵となるようにしたものであり、切り換え用操作部の構造が複雑であるのみならずガスケット（３３）の劣化等によりハウジングの防水、防塵効果も低下するという問題がある。
【０００６】
（目的）
本発明の目的は、以上の課題を解決するものであり、カメラレンズの保護と通常撮影モードと二次元バーコード撮影モードとを簡単な構成で切り替え可能にしたカメラ機能を備えた携帯端末を提供することにある。
【０００７】
本発明の他の目的は、カメラレンズの保護と通常撮影モードと二次元バーコード撮影モードの確実かつ高速な切り替え及び誤動作を防止できる切り換え機構を備えた携帯端末を提供することにある。
【０００８】
本発明の他の目的は、カメラレンズの保護と通常撮影モードと二次元バーコード撮影モードの切り換え用操作部における防水、防塵対策を不要とする切り換え機構を備えた携帯端末を提供することにある。
【課題を解決するための手段】
【０００９】
本発明のカメラ機能を備えた携帯端末は、カメラを備え、当該カメラを用いた通常撮影モードとバーコード撮影モードを実行できる携帯端末であって、端末本体に露出しているカメラのレンズを覆うカバー部材を備え、カバー部材をスライドさせることで通常撮影モード及びバーコード撮影モードを起動することを特徴とする。
【００１０】
また、カバー部材はレンズから離れる方向の一方向にスライドし、少なくとも二箇所で係止可能となっており、各々の位置に係止したことを検出して通常撮影モード又はバーコード撮影モードの起動を行うことを特徴とする。
【００１１】
さらに、端末の略中央部にレンズが位置し、カバー部材はレンズから離れる方向の二方向にスライドし、一方向にスライドすると通常撮影モードが起動し、他方向にスライドするとバーコード撮影モードが起動することを特徴とする。つまり、
【００１２】
本発明のカメラ機能を備えた携帯端末は、筺体面に設けられたカメラのレンズ用の開口部と、前記筺体面に設けられスライド機構により前記開口部を覆うカバー部材と、前記カバー部材が前記開口部を露出する異なるスライド位置を検出する検出部と、前記検出部の出力により通常撮影とバーコード撮影の撮影モードを起動する検出部と、を備え、前記スライド機構は、レンズから離れる方向の一方向に前記カバー部材をスライド可能であり、当該スライド方向で少なくとも二箇所で係止可能であり、前記検出部は前記二箇所の位置に係止したことを検出して通常撮影又はバーコード撮影の動作モードの何れかを起動すること、又は、前記スライド機構は、前記カバー部材を前記レンズから離れる方向の二方向にスライド可能であり、前記検出部は一方向にスライドすると通常撮影モードを起動し、他方向にスライドするとバーコード撮影モードを起動することを特徴とする。
【００１３】
また、前記カバー部材に前記係止位置の検出用の磁石を設け、前記検出部は前記開口部が露出する係止位置で前記磁石と対峙する位置に設けた磁気センサでなることを特徴とし、前記筺体の表面の前記レンズ用の開口部の両側に筺体壁の厚み以下の深さでなる平行な溝が形成され、前記カバー部材は前記筺体側の面に前記溝に対応するレール状の係合部が形成され、前記カバー部材の前記係合部が前記溝に嵌合してスライドすることを特徴とする。
【発明の効果】
【００１４】
本発明によれば、カメラ機能付き携帯端末のカメラレンズの保護用のカバー部材をスライドさせるだけで、カバー部材の開閉に連動して、通常撮影モードと二次元バーコード撮影モードの切り替えが可能であるから、これらの切り換えにおけるユーザ操作を簡略化でき、使い勝手を格段に向上させることができる。
【００１５】
また、スライド機構によりカバー部材をレンズから離れる方向の二方向にスライド可能とし、一方向にスライドすると通常撮影モードを起動し、他方向にスライドするとバーコード撮影モードを起動するように構成することにより、カバー部材が通常撮影又は二次元バーコード撮影の一方の撮影モードへの切り替え時に、他方のモードの係止位置を通過しないので動作モード切り換えが確実となり高速な切り替え及び誤動作を防止することが可能となる。
【００１６】
更に、カバー部材に係止位置の検出用の磁石を設け、レンズ用の開口部が露出するカバー部材の係止位置で前記磁石と対峙する筺体側の位置に係止位置の検出用の磁気センサを設け、また、筺体の表面の前記開口部の両側に筺体壁の厚み以下の深さでなる平行な溝を形成し、カバー部材には前記溝に対応するレール状の係合部を形成し、カバー部材の係合部が前記溝に嵌合してスライドする構成とすることにより、カメラレンズの保護と通常撮影モードと二次元バーコード撮影モードの切り換え用操作部から筺体内への水や塵の侵入を防止することが可能である。
【発明を実施するための最良の形態】
【００１７】
本発明のカメラ機能付き携帯端末の一実施の形態について以下詳細に説明する。
（構成の説明）
図１は本実施の形態のカメラ機能付き携帯端末の外観図を示す図である。本実施の形態は携帯端末１０としてフロントケースとリアケースからなる２つの筺体の折畳型の携帯電話機の構成例であり、フロント側に各種の入力データ、カメラ撮影画像等を表示する表示部１０４を備える上側筐体１１と、各種の入力用の操作部１０５を備える下側筐体１２とから構成されている。また、上側筐体１１のリア側にはカメラのレンズのカバー部材１０９がスライド可能に設けられており、同図では筺体１０８のカバー部材１０９の下に、レンズを含むカメラ部が搭載されている。
【００１８】
図２は携帯端末１０の内部ブロック図を示す図である。携帯端末１０は、端末各部を制御するＣＰＵ（中央処理装置）で構成可能な制御部１０１と、携帯電話網との通信処理を実行する通信部１０２と、通信処理やカメラ部の制御処理等、携帯電話の動作に必要なプログラムや、カメラ部で撮影した画像、アドレス帳等のユーザデータを格納するメモリ部１０３と、各種情報を表示する表示部１０４と、カーソルキーやテンキーを含む操作部１０５と、画像の撮影を行うカメラ部１０６と、カバー１０９のスライド位置を検出するカバー位置検出センサ１０７とを有する。
【００１９】
特に前記メモリ部３には、カメラ部の露出等の制御用、普通撮影、マクロ撮影等のレンズ移動等の制御用、二次元バーコードの撮影画像の解析用等の制御プログラムを含み、制御部１０１は、この制御プログラムを読み込み、該制御プログラムにより制御されるとともに、操作部１０５の出力信号、カバー位置検出センサ１０７の検出出力信号を入力し、カメラ部１０６の露出、普通撮影、マクロ撮影等の切り替えを制御する。
【００２０】
次に、本実施の形態の筺体及びカバー部材のスライド機構について説明する。  
図３は本実施の形態の上側筺体１１のリアケース１０８の構成を示す図である。上側筺体１１のリアケース１０８には、カメラのレンズが配置される開口部１０６と、前記開口部１０６の両側に携帯端末の筺体の長手方向に形成された２つの溝１０８ａが設けられ、一方、カバー部材１０９のリアケース１０８側には、２つの溝１０８ａに嵌合可能で、溝１０８ａ内で摺動しスライド可能な後述するレール状の係合部を備え、カバー部材１０９がリアケース１０８に対しスライド可能に取り付けられている。
【００２１】
図３（Ａ）はカメラ未使用時の位置でカメラ部のレンズ用の開口部がカバー部材１０９により覆われ隠れた状態である。カバー部材１０９を図３（Ａ）に示す位置から図３（Ｂ）に示す位置に移動させると、カメラ部のレンズ用の開口部１０６が露出して、撮影可能な状態となる。さらに、カバー部材１０９を図３（Ｂ）に示す位置から図（Ｃ）に示す位置に移動させると、カメラ部による二次元バーコード撮影が可能な状態となる。
【００２２】
図４はカバー部材１０９を外した状態の上部筐体１１の構成を示す図である。リアケース１０８のレンズの光学的な開口部の両側に、上部筺体１１に長手方向の２つの溝１０８ａが形成され、且つ各溝１０８ａの所定位置（ａ、ｂ、ｃ点）には、拡大図に示すように、カバー部材１０９を係止するための凹部１０８ｂが形成されている。つまり、ａ、ｂ、ｃ点は、カバー部材１０９を係止する係止部が設けられる位置であり、カバー部材１０９は各係止部で係止されることにより、カメラ部の未使用時、通常撮影時、二次元バーコード撮影時の位置決めがなされる。また、上部筐体１１の内部には、図４に示すようにカバー部材１０９の移動範囲の異なる位置に２つのカバー位置検出センサ１０７Ａ及び１０７Ｂが設けられている。
【００２３】
図５はリアケース１０８とカバー部材１０９の構成を示す図である。カバー部材１０９には、断面図で示すように裏側に上部筺体１１のリアケース１０８の表面に形成した溝１０８ａに嵌るようにレール状の係合部１０９ａが形成されている。また、溝１０８の奥側断面のＴ字状の溝部と係合部１０９ａの先端側断面のＴ字状の形状部は、カバー部材１０９の安定したスライド機能と、カバー部材１０９の離脱防止機能を与えるものである。
【００２４】
また、レール状の係合部１０９ａには長手方向の側面の中央部に凸部１０９ｂが設けられている。この凸部１０９ｂがリアケース１０８の溝１０８ａ内のａ、ｂ、ｃ点にそれぞれ形成した凹部１０８ｂに嵌ることにより、図３（Ａ）（Ｂ）（Ｃ）に示すカバー部材１０９の各位置において、カバー部材１０９が係止される。ここで凸部１０９ｂは、高さが前記溝１０８ａと前記レール状の係合部１０９ａとで形成される間隙の範囲内に形成され、前記レール状の係合部１０９ａの弾性を利用して、凸部１０９ｂが前記凹部１０８ｂと嵌合するように構成できる。なお、前記レール状の係合部１０９ａと溝１０８ａとに設けた凹部と凸部は配置関係を逆にすることも可能である。
【００２５】
また、カバー部材１０９の裏面には、磁石１１０が設けられている。カバー位置検出センサ１０７Ａ、１０７Ｂは、カバー部材１０９がレンズの開口部１０６を露出状態の係止位置で前記磁石１１０に反応するように、前記磁石１１０と対峙する位置に設けられている。カバー位置検出センサ１０７Ａ、１０７Ｂは、例えばホール素子で構成される。
【００２６】
（動作の説明）
以上説明した本実施の形態の動作を説明する。  
まず、図３（Ａ）の状態では、カバー位置検出センサ１０７Ａ、１０７Ｂは、磁石１１０の磁気を検出しないため、制御部１０１はカメラ部１０６を停止状態としておく。
【００２７】
次にカバー部材１０９を図３（Ｂ）の位置までスライドさせると、カバー位置検出センサ１０７Ａがカバー部材の裏の磁石１１０を検出して、制御部１０１に検出信号を送信する。制御部１０１はカバー位置検出センサ１０７Ａからの検出信号に応答して、カメラ部１０６を通常撮影モードで起動する。通常撮影モードでは、ユーザはカメラ部１０６によって風景等、通常の撮影を行うことができる。
【００２８】
さらに、カバー部材１０９を図３（Ｃ）の位置までスライドさせると、カバー位置検出センサ１０７Ｂがカバー部材の裏の磁石１１０を検出して、制御部１０１に検出信号を送信する。制御部１０１はカバー位置検出センサ１０７Ｂからの検出信号に応答して、カメラ部１０６を二次元バーコード撮影モードで起動する。この場合、制御部１０１はカメラ部１０６を近接撮影モードに切り替え、バーコードの画像認識処理が可能となる。図３（Ｃ）に示す二次元バーコード撮影モードでは、ユーザはカメラ部１０６によってバーコードの撮影を行うことができ、撮影後は直ちにバーコードの画像認識処理が実行される。
【００２９】
（他の実施の形態）
図６は本発明の他の実施の形態を示す図である。図３に示した実施の形態では、カバー部材１０９をカメラのレンズの開口部に対し、開口部から離れる一方向にスライドさせる構成を採用しているが、図６に示す実施の形態では、上側筐体１１の略中央部などにカメラ部１０６を設けており、カバー部材１０９を中央から上下にスライド可能な構成を採用している。
【００３０】
図３に示す実施の形態では、二次元バーコード撮影モードを起動する場合、通常撮影モード起動のためのカバー位置検出センサ１０７Ａが、一瞬、磁石１１０を検出するため、制御部１０１は通常撮影モードの起動処理の実行処理に入ってから二次元バーコード撮影モードの起動を行う可能性があり、起動動作の重複等により誤動作するおそれがある。
【００３１】
これに対して、図６に示す実施の形態の場合は、二次元バーコード撮影モードを起動する場合において、通常撮影モード起動のためのカバー位置検出センサ１０７Ａに磁石１１０が反応することはないため、起動処理を素早く行うことができるという利点がある。
【００３２】
以上の実施の形態では、リアケースの溝及びカバー部材のレール状の係合部は携帯端末の長手方向に形成した例で示したが、この方向は何れの角度の方向でもよく、任意のスライド方向とすることができる。
【図面の簡単な説明】
【００３３】
【図１】本発明のカメラ機能付き携帯端末の一実施の形態の外観図を示す図である。
【図２】本実施の形態の携帯端末１０の内部ブロック図を示す図である。
【図３】本実施の形態の上側筺体１１のリアケース１０８の構成を示す図である。
【図４】カバー部材１０９を外した状態の上部筐体１１の構成を示す図である。
【図５】リアケース１０８とカバー部材１０９の構成を示す図である。
【図６】本発明の他の実施の形態を示す図である。
【符号の説明】
【００３４】
１０  携帯端末
１１  上側筺体
１２  下側筐体
１０１  制御部
１１０  磁石
１０２  通信部
１０３  メモリ部
１０４  表示部
１０５  操作部
１０６  開口部
１０７Ａ、１０７Ｂ  カバー位置検出センサ
１０８  リアケース
１０８ａ  溝
１０８ｂ  凹部
１０９  カバー部材
１０９ａ  係合部
１０９ｂ  凸部
【図１】
2008167205.tif 000003
【図２】
2008167205.tif 000004
【図３】
2008167205.tif 000005
【図４】
2008167205.tif 000006
【図５】
2008167205.tif 000007
【図６】
2008167205.tif 000008